(57)【要約】【課題】シャッターの開き角度を大きくして排気風量を増大させる。【解決手段】バタフライ式のシャッター６における左右の板状シャッター７、８の夫々を、中央部から内側７ａ、８ａと外側７ｂ、８ｂに分断し、これら内側７ａ、８ａと外側７ｂ、８ｂの部分とが屈伸することができるようにヒンジ９、９をもって連結し、且つ適宜の弾力性を有するばね１０をもって常時伸びるように附勢する。【選択図】      図１
2008128591.tif 000002
【特許請求の範囲】
【請求項１】
上下が開放した筒状のボディと、前記ボディの内部に配置され、モータをもって回転せしめられるファンと、前記ボディの上側開放部にシャッター取付枠をもって取り付けられた、左右一対の板状シャッターからなり、外方の自由端側が基部を枢着する枢軸を支点として同時に垂直方向に回動するバタフライ式のシャッターと、前記ボディの上方に所定の間隔をおいて取り付けられた、皿を裏返した形状の天蓋フードとからなる排気用ルーフファンにおいて、前記バタフライ式のシャッターにおける左右の板状シャッターの夫々を、基部から自由端にかけての間における略中央部で内側と外側に分断し、その合わせ目をヒンジをもって屈伸自在に連結すると共に適宜の弾力性を有するばねをもって常時伸びるように附勢したことを特徴とする排気用ルーフファン。
【請求項２】
ヒンジが、一対の回動片の夫々斜め下方に張り出した部分を食い違い状に重ねた状態において連結軸を串刺し状に挿通し、一対の回動片の上面を夫々板状シャッターの下面に固着してなるヒンジであり、ばねが、一本のばね杆を中央部が環状になるように折曲し、環状部分にヒンジの連結軸を挿通すると共に反対方向に伸びる端部をへの字形に折曲して夫々板状シャッター下面に当接させてなるばねである請求項１記載の排気用ルーフファン。
【請求項３】
天蓋フードの内面における板状シャッターが接触する適宜の箇所に緩衝材を取り付けてなる請求項１又は２記載の排気用ルーフファン。
【発明の詳細な説明】
【技術分野】
【０００１】
本発明は屋上に設置する排気用ルーフファンに関するものである。
【背景技術】
【０００２】
従来、屋上に設置する排気用ルーフファンの一つとして、上下が開放した筒状のボディと、前記ボディの内部に配置され、モータをもって回転せしめられるファンと、前記ボディの上側開放部にシャッター取付枠をもって取り付けられた、左右一対の板状シャッターからなり、外方の自由端側が基部を枢着する枢軸を支点として同時に垂直方向に回動するバタフライ式のシャッターと、前記ボディの上方に所定の間隔をおいて取り付けられた、皿を裏返した形状の天蓋フードとからなる排気用ルーフファンが用いられている。
【０００３】
しかし乍ら、斯かる排気用ルーフファンにあっては次の如き問題点がある。それは、天蓋フードのボディからの間隔が、雨水の流入等を防ぐ必要性から低くせざるを得ない状況において、バタフライ式のシャッターにおける左右の板状シャッターが夫々フラットな一枚板であることから、該板状シャッターの夫々が、ファンの回転による風圧によって跳ね上げられて風路を開いたときに、開き角度が小さく、大きな排気風量を得られないという点である。
【発明の開示】
【発明が解決しようとする課題】
【０００４】
本発明は上記の点に鑑みなされたものであって、バタフライ式のシャッターにおける左右の板状シャッターの夫々を、中央部から内側と外側に分断し、これら内側と外側の部分とが屈伸することができるようにヒンジをもって連結し、且つ適宜の弾力性を有するばねをもって常時伸びるように附勢し、もってこれら左右の板状シャッターが風圧によって跳ね上げられたときに、中央部から屈曲して開き角度が大きくなるようにすることができるようになした排気用ルーフファンを提供せんとするものである。
【課題を解決するための手段】
【０００５】
而して、本発明の要旨とするところは、上下が開放した筒状のボディと、前記ボディの内部に配置され、モータをもって回転せしめられるファンと、前記ボディの上側開放部にシャッター取付枠をもって取り付けられた、左右一対の板状シャッターからなり、外方の自由端側が基部を枢着する枢軸を支点として同時に垂直方向に回動するバタフライ式のシャッターと、前記ボディの上方に所定の間隔をおいて取り付けられた、皿を裏返した形状の天蓋フードとからなる排気用ルーフファンにおいて、前記バタフライ式のシャッターにおける左右の板状シャッターの夫々を、基部から自由端にかけての間における略中央部で内側と外側に分断し、その合わせ目をヒンジをもって屈伸自在に連結すると共に適宜の弾力性を有するばねをもって常時伸びるように附勢したことを特徴とする排気用ルーフファンにある。
【０００６】
また、上記構成において用いるヒンジとばねに関しては、ヒンジが、一対の回動片の夫々斜め下方に張り出した部分を食い違い状に重ねた状態において連結軸を串刺し状に挿通し、一対の回動片の上面を夫々板状シャッターの下面に固着してなるヒンジであり、ばねが、一本のばね杆を中央部が環状になるように折曲し、環状部分にヒンジの連結軸を挿通すると共に反対方向に伸びる端部をへの字形に折曲して夫々板状シャッター下面に当接させてなるばねであることが好ましい。
【０００７】
また、上記構成において、天蓋フードの内面における板状シャッターが接触する適宜の箇所に緩衝材を取り付けるようにすることが好ましい。これにより、風圧によって跳ね上げられたときに、板状シャッターの外側の部分が強く当たったり擦れたりすることによる損傷を防止することができる。
【発明の効果】
【０００８】
本発明は上記の如き構成であり、バタフライ式のシャッターにおける左右の板状シャッターの夫々を、中央部から内側と外側に分断し、これら内側と外側の部分とが屈伸することができるようにヒンジをもって連結し、且つ適宜の弾力性を有するばねをもって常時伸びるように附勢してなるものであるから、左右の板状のシャッターが風圧によって跳ね上げられたときに、中央部から屈曲して開き角度が大きくなるようにすることができるものである。したがって、従来の排気用ルーフファンに比べてはるかに排気風量を増大させることができるものである。
【０００９】
また、天蓋フードの内面における板状シャッターが接触する適宜の箇所に緩衝材を取り付けるようになした場合には、風圧によって跳ね上げられたときに、板状シャッターの外側の部分が強く当たったり擦れたりすることによる損傷を防止することができる。
【発明を実施するための最良の形態】
【００１０】
本発明を実施するための最良の形態は、バタフライ式のシャッターにおける左右の板状シャッターの夫々を、中央部から内側と外側に分断し、これら内側と外側の部分とが屈伸することができるようにヒンジをもって連結し、且つ適宜の弾力性を有するばねをもって常時伸びるように附勢することにある。
【実施例】
【００１１】
以下、本発明の実施例について説明する。
図１は本発明の実施例の中央縦断正面図、図２は図１中Ａ部分の拡大図、図３は本発明の実施例の一部を切欠して示した平面図、図４は図３中Ｂ部分の拡大図、図５は板状シャッターの基部枢着部分の拡大図、図６は板状シャッターの屈伸運動用ヒンジとばねの平面図、図７は板状シャッターの開閉動作の説明図である。
【００１２】
図中、１は上下が開放した筒状のボディである。２は前記ボディ１の内部に配置され、モータ３をもって回転せしめられるファンである。
【００１３】
４は前記ボディ１の上側開放部に固着されたシャッター取付枠である。また、該シャッター取付枠４は、ボディ１の開放部に連なった排気路となる枠部４ａを立ち上げている。また、該枠部４ａの頂部の適所には緩衝材５を取り付けている。６は前記シャッター取付枠４をもって前記ボディ１の上側開放部に取り付けられたバタフライ式のシャッターである。また、該バタフライ式のシャッター６は、左右一対の板状シャッター７、８からなり、外方の自由端側が基部を枢着する後記枢軸を支点として同時に垂直方向に回動するものである。そしてまた、本実施例においては、板状シャッター７、８の夫々は、基部から自由端にかけての間における略中央部で内側７ａ、８ａと外側７ｂ、８ｂに分断し、これら内側７ａ、８ａと外側７ｂ、８ｂの部分とが屈伸することができるように合わせ目をヒンジ９、９をもって連結している。そしてまた、これら内側７ａ、８ａと外側７ｂ、８ｂが常時伸びるように適宜の弾力性を有するばね１０、１０をもって附勢している。
【００１４】
また、板状シャッター７、８の夫々の内側７ａ、８ａの基部は、前記シャッター取付枠４の上部に対立設した軸承板１１、１１間に架設した枢軸１２、１２に枢着している。
【００１５】
また、前記ヒンジ９は、一対の回動片９ａ、９ｂの夫々斜め下方に張り出した部分９ａ′、９ｂ′を食い違い状に重ねた状態において連結軸９Ａを串刺し状に挿通してなるものであり、該一対の回動片９ａ、９ｂの上面を夫々前記板状シャッター７、８の下面に固着するものである。
【００１６】
また、前記ばね１０は、一本のばね杆を中央部が環状になるように折曲し、環状部分１０ａにヒンジ９の連結軸９Ａを挿通すると共に反対方向に伸びる部分１０ｂ、１０ｃをへの字形に折曲して夫々板状シャッター７、８の下面に当接させるものである。
【００１７】
１３は前記ボディ１の上方に所定の間隔をおいて取り付けた、皿を裏返した形状の天蓋フードである。また、該天蓋フード１３の内面における前記板状シャッター７、８が接触する適宜の箇所には緩衝材１４、１４を取り付けている。
【００１８】
次に、上記実施例の作用について説明する。
ファン２の回転による風圧によってバタフライ式のシャッター６における左右の板状シャッター７、８が跳ね上げられたとき、夫々の外側７ｂ、８ｂの部分の先端が天蓋フード１３の内面に当たると中央部から屈曲を開始する。そして風圧によって更に次第に深く屈曲し、最後は夫々の板状シャッター７、８の内側７ａ、８ａの部分が垂直に近くなるまで屈曲する。これによりシャッターの開き角度は大きくなり、従来の排気用ルーフファンに比べてはるかに排気風量が増大するものである。そしてまた、ファン２の回転が停止して風圧がなくなると、板状シャッター７、８は自重によって元の状態に戻るが、このときばね１０の作用によって屈曲状態から再び伸び出し、最後は一枚のフラットな状態となって被さるものである。
【図面の簡単な説明】
【００１９】
【図１】本発明の実施例の中央縦断正面図である。
【図２】図１中Ａ部分の拡大図である。
【図３】本発明の実施例の一部を切欠して示した平面図である。
【図４】図３中Ｂ部分の拡大図である。
【図５】板状シャッターの基部枢着部分の拡大図である。
【図６】板状シャッターの屈伸運動用ヒンジとばねの平面図である。
【図７】板状シャッターの開閉動作の説明図である。
【符号の説明】
【００２０】
１  ボディ
２  ファン
３  モータ
４  シャッター取付枠
６  バタフライ式のシャッター
７、８  板状シャッター
９、９  ヒンジ
１０、１０  ばね
１２、１２  枢軸
１３  天蓋フード
１４、１４  緩衝材
【図１】
2008128591.tif 000003
【図２】
2008128591.tif 000004
【図３】
2008128591.tif 000005
【図４】
2008128591.tif 000006
【図５】
2008128591.tif 000007
【図６】
2008128591.tif 000008
【図７】
2008128591.tif 000009